(57)【要約】【課題】印刷物に部番を印刷する部番印刷を設定してダブルコピーを行うと、断裁前の印刷物のそれぞれのレイアウトした領域には、同一の部番が印刷されてしまう。【解決手段】同一画像を１枚の出力用紙に複数レイアウトして形成する機能を有する画像形成装置であって、１枚の出力用紙にレイアウトされる各同一画像に対して、異なる部番を付与するように設定されると、その設定にしたがって、１枚の出力用紙にレイアウトされた各同一画像に対して、異なる部番が付与されて形成されるよう制御する。【選択図】  図８
2019098561.tif 000002
【特許請求の範囲】
【請求項１】
同一画像を１枚の出力用紙に複数レイアウトして形成する機能を有する画像形成装置であって、
前記１枚の出力用紙にレイアウトされる各同一画像に対して、異なる部番を付与するように設定する設定手段と、
前記設定手段による前記設定にしたがって、前記１枚の出力用紙にレイアウトされた各同一画像に対して、異なる部番が付与されて形成されるよう制御する制御手段と、
を有することを特徴とする画像形成装置。
【請求項２】
異なる部番とは、１から始まる通し番号のうちの異なる番号のことであることを特徴とする請求項１に記載の画像形成装置。
【請求項３】
各同一画像は、入力された１つの画像に対応する画像であることを特徴とする請求項１に記載の画像形成装置。
【請求項４】
同一の画像を１枚の出力用紙に複数レイアウトして形成する機能を有する画像形成装置であって、
出力するコピーの部数を設定する設定手段と、
前記出力用紙に前記部数を示す部番を付与するように設定する部番印刷設定手段と、
前記機能が選択されているとき、前記部番印刷設定手段により前記部数を示す部番を付与するように設定されていると、前記出力用紙にレイアウトされた各画像に、前記レイアウトに応じて前記出力用紙が断裁された後の当該画像の部数に対応する部番が付与されて形成されるよう制御する制御手段と、
を有することを特徴とする画像形成装置。
【請求項５】
前記機能が選択されているとき、前記部番印刷設定手段により前記部数を示す部番を付与するように設定されている際、前記出力用紙にレイアウトされた各画像に、互いに異なる部番を付与するように指定する指定手段を、更に有し、
前記制御手段は、前記指定手段による指定に応じて、前記出力用紙にレイアウトされた各画像に、前記レイアウトに応じて前記出力用紙が断裁された後の当該画像の部数に対応する部番を付与して形成するよう制御することを特徴とする請求項４に記載の画像形成装置。
【請求項６】
前記制御手段は、前記出力用紙にレイアウトされた各画像に、連続する部番を付与して形成するよう制御することを特徴とする請求項４又は５に記載の画像形成装置。
【請求項７】
複数枚の原稿の画像データを１組とし、前記設定手段により設定された前記コピーの部数を前記組の単位で形成するソート出力と、
前記複数枚の原稿の画像データのそれぞれを、前記設定手段により設定された前記コピーの部数の分、順次形成するグループ出力のいずれかを設定する手段を、更に有し、
前記制御手段は、前記ソート出力のとき、前記レイアウトに応じて前記出力用紙が断裁された後、一つの部に対する当該断裁された出力用紙の一方の束を他方の束に重ねたとき、前記束の上側の用紙から部番が昇順となるように前記出力用紙にレイアウトされた各画像に部番を付与して形成するよう制御することを特徴とする請求項４又は５に記載の画像形成装置。
【請求項８】
前記制御手段は、前記グループ出力のとき、第１の原稿の画像データが形成された前記コピーの部数の分の出力用紙の第１の束が前記レイアウトに応じて断裁された後、前記第１の原稿に続く第二の原稿の画像データが形成された前記コピーの部数の分の出力用紙の第２の束が前記レイアウトに応じて断裁されたとき、前記第１の束の用紙と前記第２の束の用紙の部番とが同じになるように、前記出力用紙にレイアウトされた各画像に部番を付与して形成するよう制御することを特徴とする請求項７に記載の画像形成装置。
【請求項９】
複数枚の原稿の画像データを１組とし、前記設定手段により設定された前記コピーの部数を前記組の単位で形成するソート出力と、
前記複数枚の原稿の画像データのそれぞれを、前記設定手段により設定された前記コピーの部数の分、順次形成するグループ出力のいずれかを設定する手段を、更に有し、
前記制御手段は、前記ソート出力のとき、前記コピー部数に相当する出力用紙の束を前記レイアウトに応じて断裁されたとき、当該断裁された出力用紙の一方の束を他方の束に重ねたとき、前記束の上側の用紙から部番が昇順となるように前記出力用紙にレイアウトされた各画像に部番を付与して形成するよう制御することを特徴とする請求項４又は５に記載の画像形成装置。
【請求項１０】
前記制御手段は、前記グループ出力のとき、同一の原稿の画像データにより形成された前記コピーの部数の分の出力用紙の第１の束が前記レイアウトに応じて断裁された後、当該断裁された前記第１の束の一方の束を他方の束の上に重ねたとき、前記出力用紙の部番が昇順になるように、前記出力用紙にレイアウトされた各画像に部番を付与して形成するよう制御することを特徴とする請求項９に記載の画像形成装置。
【請求項１１】
前記部番印刷設定手段は、更に、前記出力用紙上の部番の位置、及び前記部番を付与する方向の少なくともいずれかを設定することを特徴とする請求項４乃至１０のいずれか１項に記載の画像形成装置。
【請求項１２】
前記制御手段は、更に、前記出力用紙にレイアウトされた各画像の方向に応じて、前記出力用紙上の部番の位置を変更することを特徴とする請求項４に記載の画像形成装置。
【請求項１３】
原稿を読み取る読取手段を、更に有し、
前記設定手段は、前記読取手段により原稿を読み取って得られた画像データをコピーするときの部数を設定することを特徴とする請求項４乃至１２のいずれか１項に記載の画像形成装置。
【請求項１４】
同一の画像を１枚の出力用紙に複数レイアウトして形成する機能を有する画像形成装置を制御する制御方法であって、
出力するコピーの部数を設定する設定工程と、
前記出力用紙に前記部数を示す部番を付与するようにユーザに設定させる部番印刷設定工程と、
前記機能が選択されているとき、前記部番印刷設定工程で前記部数を示す部番を付与するように設定されていると、前記出力用紙にレイアウトされた各画像に、前記レイアウトに応じて前記出力用紙が断裁された後の当該画像の部数に対応する部番を付与して形成するよう制御する制御工程と、
を有することを特徴とする制御方法。
【請求項１５】
コンピュータを、請求項１乃至１３のいずれか１項に記載の画像形成装置の各手段として機能させるためのプログラム。
【発明の詳細な説明】
【技術分野】
【０００１】
本発明は、画像形成装置とその制御方法、及びプログラムに関するものである。
【背景技術】
【０００２】
従来から、１枚の用紙の中に、原稿の画像を複数枚レイアウトしてコピーするダブルコピー機能がある。ユーザは、このダブルコピー機能を使用して得られた印刷物を断裁装置で断裁することで、例えば１回のコピーで、原稿をコピーした複数枚の印刷物を得ることができる。具体的には、例えばＡ３サイズの用紙に、Ａ４サイズの原稿の画像を２枚レイアウトして印刷し、その印刷物の中央を断裁する。これによりＡ３サイズ１枚の課金料金で、Ａ４の原稿の２枚分をコピーした印刷物を得ることができる。
【０００３】
特許文献１には、１枚の用紙にコピーする原稿の枚数が奇数の場合に、他の原稿を続けてレイアウトすることで、用紙の無駄を少なくすることが提案されている。
【先行技術文献】
【特許文献】
【０００４】
【特許文献１】特開２００７−８３５５７号公報
【発明の概要】
【発明が解決しようとする課題】
【０００５】
しかしながら上記従来技術では、印刷物に部番を印刷する部番印刷を設定してダブルコピーを行うと、断裁前の印刷物のそれぞれのレイアウトした領域には、同一の部番が印刷されてしまう。そのため、断裁を行うと同一の部番が印刷された最終成果物が複数できてしまい、その最終成果物の部番の一意性が損なわれてしまう。
【０００６】
本発明の目的は、上記従来技術の課題を解決することにある。
【０００７】
本発明の目的は、部番印刷を設定して、同一の画像を１枚の出力用紙に複数レイアウトして形成する機能を実行するとき、出力用紙を断裁したときに同一の部番が印刷された最終成果物が複数できないようにする技術を提供することにある。
【課題を解決するための手段】
【０００８】
上記目的を達成するために本発明の一態様に係る画像形成装置は以下のような構成を備える。即ち、
同一画像を１枚の出力用紙に複数レイアウトして形成する機能を有する画像形成装置であって、
前記１枚の出力用紙にレイアウトされる各同一画像に対して、異なる部番を付与するように設定する設定手段と、
前記設定手段による前記設定にしたがって、前記１枚の出力用紙にレイアウトされた各同一画像に対して、異なる部番が付与されて形成されるよう制御する制御手段と、を有することを特徴とする。
【発明の効果】
【０００９】
本発明によれば、部番印刷を設定して、同一の画像を１枚の出力用紙に複数レイアウトして形成する機能を実行するときでも、最終成果物で一意となる部番が付与されるという効果がある。
【図面の簡単な説明】
【００１０】
【図１】本発明の実施形態１に係る印刷システムの全体構成図。
【図２】実施形態１に係る画像形成装置の表示部に表示されるコピー機能の設定画面例を示す図。
【図３】実施形態１に係る画像形成装置の表示部に表示されるコピー機能の設定画面例を示す図。
【図４】ソートボタンによるソート出力、グループボタンによるグループ出力を説明する図。
【図５】原稿画像をダブルコピーして得られる例を説明する図。
【図６】２枚の原稿を３部印刷するときの部番印刷を説明する図。
【図７】実施形態１に係る画像形成装置におけるコピー処理を説明するフローチャート。
【図８】実施形態１において、２枚の両面原稿をダブルコピーし、部番印刷の位置を左上に設定した場合の出力例を示す図。
【図９】実施形態１に係る、図７のフローチャートのＳ７０７の印刷画像データの生成処理を説明するフローチャート。
【図１０】実施形態１に係る、図７のフローチャートのＳ７０７の印刷画像データの生成処理を説明するフローチャート。
【図１１】実施形態２において、２枚の両面原稿をダブルコピーし、部番印刷の位置を左上に設定した場合の出力例を示す図。
【図１２】実施形態２に係る、図７のフローチャートのＳ７０７の印刷画像データの生成処理を説明するフローチャート。
【図１３】実施形態２に係る、図７のフローチャートのＳ７０７の印刷画像データの生成処理を説明するフローチャート。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
［実施形態１］
図１は、本発明の実施形態１に係る印刷システムの全体構成図である。
【００１３】
この印刷システムでは、画像形成装置１０１とパーソナルコンピュータ（ＰＣ）１１４とが、ＬＡＮ／ＷＡＮ１１３等のネットワークを介して接続されている。画像形成装置１０１は、ＰＣ１１４から送信される印刷ジョブを受信すると、その印刷ジョブに従って印刷を実行する。
【００１４】
画像形成装置１０１は、制御部１０２、表示部１０３、操作部１０４、プリンタユニット１０５、スキャナユニット１０６を有している。操作部１０３は、ＬＥＤや表示パネルを備え、ユーザの操作内容や装置の内部情報を表示するとともに、ユーザによる操作を受け付ける。また操作部１０４は複数の操作ボタンを備えるだけでなく、表示部１０３とともにタッチディスプレイとして実現されてもよい。プリンタユニット１０５は、制御部１０２から印刷指示を受け付け、制御部１０２から送信されてくる画像データに基づいてシートに画像を印刷する。スキャナユニット１０６は、制御部１０２からの読取指示に従って原稿の読取を行い、その原稿を読み取って得られた画像データを制御部１０２に送信する。
【００１５】
制御部１０２は、ＣＰＵ１０７、ＲＯＭ１０８、ＲＡＭ１０９、ＨＤＤ１１０、ＥＥＰＲＯＭ１１１を有している。ＣＰＵ１０７は、画像形成装置１０１の立ち上げ時、ＲＯＭ１０８に記憶されているブートプログラムを実行してＨＤＤ１１０に格納されているプログラムをＲＡＭ１０９に展開する。そして、そのＲＡＭ１０９に展開したプログラムを実行することにより、各Ｉ／Ｆや記憶媒体のメモリなどを介して、制御部１０２に接続される各部の動作を制御する。ＲＯＭ１０８は読み取り専用メモリで、システム起動に必要なブートプログラムなどを記憶している。ＲＡＭ１０９は揮発メモリであり、展開された制御プログラムを記憶するとともに、ＣＰＵ１０７がプログラムを実行する際に必要とするワークメモリを提供している。ＨＤＤ１１０は磁気ディスクなどの記憶媒体であり、制御プログラムや画像データなどを記憶している。ＥＥＰＲＯＭ１１１は不揮発メモリであり、制御プログラムが実行する際に必要となる設定値などを記憶している。
【００１６】
尚、実施形態１では、画像形成装置１０１は印刷機能に加えて、原稿の読み取りを行うスキャナを有しているが本発明はこれに限らず、印刷機能単体を有し、外付けされたスキャナ等の画像読取装置から原稿の画像データを受取って印刷する構成でも良い。
【００１７】
次に、実施形態１に係る画像形成装置１０１におけるコピー機能に関連する機能を図２から図６を参照して説明する。
【００１８】
図２及び図３は、実施形態１に係る画像形成装置１０１の表示部１０３に表示されるコピー機能の設定画面例を示す図である。これらの設定画面は、ＣＰＵ１０７が表示部１０３に出力し、操作部１０４を介してユーザ操作を受け付けることで、この設定画面を介した各種設定が行われる。
【００１９】
図２（Ａ）は、コピー機能のメインの設定画面の一例を示す図である。
【００２０】
コピー設定画面２０１は、基本設定２０２、両面ボタン２０３、仕上げボタン２０４、ダブルコピーボタン２０５、部番印刷ボタン２０６を含んでいる。基本設定２０２は、コピー機能を実行する上で必要な設定値であり、色モード、倍率、出力用紙、部数を含んでいる。両面ボタン２０３は、用紙の両面に印刷する両面印刷を指定するボタンである。初期値は、片面印刷となっている。仕上げボタン２０４は、どのような順序で印刷物を出力するかを指定するボタンである。ユーザが、この仕上げボタン２０４を押下すると、ＣＰＵ１０７は、図２（Ｂ）に示す仕上げ設定画面２１１を表示する。
【００２１】
この仕上げ設定画面２１１は、ソートボタン２１２、グループボタン２１３、ＯＫボタン２１４、キャンセルボタン２１５を含んでいる。ＣＰＵ１０７は、ソートボタン２１２或いはグループボタン２１３の押下を受け付けた後、ＯＫボタン２１４が押下されると、ＲＡＭ１０９にコピージョブの設定として、その押下されたボタンの情報を記憶してコピー設定画面２０１に戻る。一方、キャンセルボタン２１５が押下されると、その仕上げ設定画面２１１での設定を取り消してコピー設定画面２０１に戻る。尚、図２（Ｂ）は、仕上げとして「ソート」が選択された状態を示している。
【００２２】
図４は、ソートボタン２１２によるソート出力、グループボタン２１３によるグループ出力を説明する図である。
【００２３】
ソート出力は、例えば図４の４０１で示すように、１組の原稿Ａ、Ｂ、Ｃがある場合に、Ａ，Ｂ，Ｃ，Ａ，Ｂ，Ｃ，…のように、設定された部数分、原稿Ａ、Ｂ、Ｃの組の印刷物の生成を繰り返し実行する出力形態である。具体例として４０１では、原稿Ａ，Ｂ，Ｃからなる原稿を、ソート出力で２部に設定した場合の出力結果を示している。
【００２４】
グループ出力は、例えば図４の４０２で示すように、１組の原稿Ａ、Ｂ、Ｃがある場合に、最初の原稿Ａをコピー部数分出力した後、次の原稿Ｂを同じくコピー部数分出力し、以下同様に、それ以降の原稿に対しても同様に順次形成する出力形態である。具体例として４０２では、原稿Ａ，Ｂ，Ｃをグループ出力で、コピー部数を２部に設定した場合の出力結果を示している。
【００２５】
再び図２に戻り、ダブルコピーについて説明する。
【００２６】
ダブルコピーボタン２０５は、同一の画像をダブルコピーしたレイアウトで出力するように設定するボタンである。ユーザがコピー設定画面２０１のダブルコピーボタン２０５を押下すると、ＣＰＵ１０７は、例えば図３（Ａ）に示すダブルコピー設定画面３０１を表示する。このダブルコピー設定画面３０１は、ダブルコピーＯＮ／ＯＦＦボタン３０２、原稿サイズ３０３、原稿サイズ変更ボタン３０４、「断裁口を揃える」チェックボックス３０５、ＯＫボタン３０６、キャンセルボタン３０７を有している。ＯＫボタン３０６、キャンセルボタン３０７の動作に関しては、前述のＯＫボタン２１４、キャンセルボタン２１５と基本的に同じであるため、その説明を省略する。
【００２７】
まずダブルコピーについて説明する。
【００２８】
図５は、原稿画像をダブルコピーして得られる例を説明する図である。
【００２９】
ダブルコピーとは、図５のように１枚の原稿の画像を一枚の用紙（シート）に複数レイアウトして印刷する機能である。つまりダブルコピーでは、１つの原稿画像（入力画像）と同一の複数の画像が１枚の用紙にレイアウトされて印刷（形成）される。このように、１枚の用紙にレイアウトされる複数の同一画像のそれぞれは、１つの入力画像に対応している。そしてユーザは、ダブルコピー機能を利用して印刷された用紙を断裁することにより、一枚の用紙のコピーで、複数枚の印刷物を得ることができる。そのため、断裁した後の印刷物が原稿画像と同じになるように余白の計算を行い、一つの用紙の中の各レイアウト領域（レイアウトされた原稿画像）を決定する。実施形態１では、一枚の用紙に２つの原稿画像をレイアウトする処理を例に説明するが、２つより多い数の原稿の画像をレイアウトしてもよい。
【００３０】
まず図３（Ａ）のダブルコピーの原稿サイズ３０３について説明する。
【００３１】
ダブルコピーでは、原稿サイズ３０３で指定されたサイズ（断裁後のサイズ）を基に、出力画像のレイアウトを行う。その際、「断裁口を揃える」チェックボックス３０５の設定も考慮し、各レイアウト領域にレイアウトされる原稿画像の向きを決定する。また原稿サイズの変更は、変更ボタン３０４から受け付けるが、図２（Ａ）のコピー設定画面２０１の基本設定２０２で設定された用紙サイズの半分のサイズまでが選択可能である。例えば、図２（Ａ）のように、用紙サイズがＡ３の場合、Ａ３の半分のサイズであるＡ４サイズ以下のサイズが選択可能となる。
【００３２】
次にダブルコピーのレイアウトを図５の出力例を参照して説明する。
【００３３】
５０１，５０２で示す出力結果は、縦向きの原稿をダブルコピーした場合の出力例であり、原稿画像が左右に並ぶようにレイアウトする。その際、「断裁口を揃える」チェックボックス３０５にチェックが入っていた場合、５０２のように、２番目の原稿画像が１８０°回転した状態で印刷される。これにより、ダブルコピーにより得られた用紙の中央を上下方向に切断することにより、最終成果物の断裁口を一方向に揃えることができる。「断裁口を揃える」チェックボックス３０５にチェックが入っていない場合、回転は行わずに、５０１で示すように印刷する。尚、後述する部番印刷の印刷位置は、各レイアウト領域の向きを起点に決定する。
【００３４】
５０３，５０４は、横向きの原稿をダブルコピーした場合の出力例であり、原稿画像が上下に並ぶようにレイアウトする。その際、「断裁口を揃える」チェックボックス３０５にチェックが入っていた場合、５０４のように、下側の原稿画像が１８０°回転した状態で印刷される。これにより、ダブルコピーにより得られた用紙の中央を左右方向に切断することにより、最終成果物の断裁口を一方向に揃えることができる。「断裁口を揃える」チェックボックス３０５にチェックが入っていない場合、回転は行わずに５０３で示すように出力する。尚、この場合も、部番印刷の印刷位置は、各レイアウト領域の向きを起点に決定する。
【００３５】
また、ダブルコピー時の基本設定２０２の部数は、最終成果物の部数ではなく、印刷時の部数で受け付ける。例えば図２（Ａ）で、ダブルコピーボタン２０５をオンした状態で基本設定２０２に「３部」と入力すると、ダブルコピーでレイアウトした印刷物が３部出力される。これによりユーザは、その３部出力された用紙をそれぞれ断裁することにより、６部の最終成果物を得ることができる。図３（Ａ）の断裁後の部数「６」は、この例に該当する。
【００３６】
再び図２に戻り、部番印刷の設定画面について説明する。
【００３７】
部番印刷ボタン２０６は、コピー機能で出力した印刷物に部番を印刷するように設定するボタンである。本実施形態における部番とは、１から始まる通し番号のうちの１つの番号のことであり、印刷物が何部目であるかを示す。ユーザがコピー設定画面２０１の部番印刷ボタン２０６を押下すると、ＣＰＵ１０７は図３（Ｂ）に示すような部番印刷設定画面３１１を表示する。
【００３８】
この部番印刷設定画面３１１は、印刷位置設定３１２、印刷向き設定３１３、「ダブルコピー時異なる部番を印刷」チェックボックス３１４、ＯＫボタン３１５、キャンセルボタン３１６を有している。ＯＫボタン３１５、キャンセルボタン３１６の動作の説明は、前述のＯＫボタン２１４、キャンセルボタン２１５と基本的に同様であるため、その説明を省略する。
【００３９】
まず部番印刷について説明する。部番印刷とは、図６に示すようにコピー機能で出力する印刷物に、その印刷物が何部目のものかを示す部番を印刷する機能である。これにより、コピーされた印刷物であっても、一意にその印刷物を特定することができる。
【００４０】
図６は、２枚の原稿を３部印刷するときの部番印刷を説明する図である。尚、ここではダブルコピーを行っていない場合で説明する。
【００４１】
部番印刷は、図３（Ｂ）の印刷位置設定３１２、印刷向き設定３１３により、印刷物のどの位置、どの向きに部番が印刷されるかが決定される。印刷位置設定３１２の「左上」、「右上」、「左下」、「右下」は、印刷された用紙の四隅のいずれか１箇所に部番を印刷することを示し、「５箇所」は四隅の全てと、中央を加えた５箇所に部番を印刷することを示す。また「全面」は、印刷物の全体に部番を印刷することを示す。印刷向き設定３１３は、原稿画像を印刷する向きを基準に、部番を縦向きに印刷するか、横向きに印刷するかの設定である。
【００４２】
具体例として、図６の６０１では、２枚の原稿を部数３部で、左上、縦向きに部番印刷した場合の出力結果を示している。６０２は、原稿の向きと、部番の印刷位置との関係を説明している。ところが、ダブルコピーと部番印刷を同時に設定した場合に問題となるケースがある。ダブルコピーは、１枚の用紙の中に原稿を複数枚コピーする機能であるが、各レイアウト領域に同じ部番を印刷してしまうと、断裁後の最終成果物で同じ部番のものが複数できてしまい、最終成果物の部番の一意性が損なわれてしまう。
【００４３】
そこで、部番印刷設定画面３１１に、「ダブルコピー時異なる部番を印刷」チェックボックス３１４を設け、各レイアウト領域で異なる部番を割り当てるか否かを設定可能とする。すなわち、チェックボックス３１４がチェックされると、１枚の出力用紙にレイアウトされる複数の同一画像のそれぞれに対して異なる通し番号が付与されるような設定が有効になる。具体的に、どのように部番を割り当てるかについては、図７を参照してコピー機能の全体の処理の流れを説明した後、図８〜図１３を参照して具体例を用いて説明する。
【００４４】
図７は、実施形態１に係る画像形成装置１０１におけるコピー処理を説明するフローチャートである。この処理は、ＣＰＵ１０７がＨＤＤ１１０に記憶されているプログラムをＲＡＭ１０９に展開し、その展開したプログラムを実行することにより達成される。
【００４５】
まずＳ７０１でＣＰＵ１０７は、表示部１０３にコピー設定画面２０１等のコピーの設定画面を表示する。次にＳ７０２に進みＣＰＵ１０７は、操作部１０４でスタートキーが押下されるまで設定の変更を受け付ける。Ｓ７０２でスタートキーが押下されたことを検知するとＳ７０３に進みＣＰＵ１０７は、スキャナユニット１０６に原稿の読み取りの指示を行う。そしてＳ７０４でＣＰＵ１０７は、スキャナユニット１０６から受け取った原稿の画像データを一時的にＨＤＤ１１０に保存する。このとき原稿の両面を読み取る場合は、表面目、裏面目の順序で保存する。これら原稿の読み取り処理はＳ７０５で最終原稿の読み取りが終了したと判定されるまで繰り返す。
【００４６】
Ｓ７０５でＣＰＵ１０７は、最終原稿の読み取りが終了したと判定するとＳ７０６に進み、ＣＰＵ１０７は、プリンタユニット１０５に対して印刷開始指示を行う。これにより、プリンタユニット１０５はＣＰＵ１０７からの出力画像データ受け付け待ちとなり、ＣＰＵ１０７から出力画像データを受け付けると、その出力画像データを印刷できる状態となる。
【００４７】
Ｓ７０７でＣＰＵ１０７は、印刷する画像データを生成してプリンタユニット１０５へ、その画像データを出力する。Ｓ７０７における出力画像データの生成処理の詳細は図９及び図１０のフローチャートなどを参照して後述するが、この処理の中で仕上げの出力順、ダブルコピーのレイアウト、部番印刷の処理も行っている。
【００４８】
こうしてＳ７０７で全ての出力画像データの生成とプリンタユニット１０５への画像データの出力が完了するとＳ７０８に進みＣＰＵ１０７は、Ｓ７０４で保存した原稿の画像データを削除する。そしてＳ７０９に進みＣＰＵ１０７は、プリンタユニット１０５からの印刷完了通知を待って印刷終了指示を行う。これによりプリンタユニット１０５は、この印刷終了指示を受け取ると、出力画像データの受け付けを終了し、印刷に関連する動作を停止する。これらの一連の処理により、原稿のコピーを行うことができる。
【００４９】
次に、Ｓ７０７でどのように印刷画像データが生成されるかを説明するが、その前に実施形態１で、ダブルコピーと部番印刷が同時に設定された場合に、どのように出力されるかを、図８を参照して説明する。
【００５０】
図８は、実施形態１において、２枚の両面原稿をダブルコピーし、部番印刷の位置を左上に設定した場合の出力例を示す図である。
【００５１】
８０１は、上述の設定に加えて、図２（Ｂ）の仕上げ設定で「ソート」、図３（Ｂ）で「ダブルコピー時異なる部番を印刷」チェックボックス３１４をオフした場合の出力例を示す。この例では、一番目の部の各用紙の各レイアウト領域に同じ部番「００１」が印刷され、ソート順で印刷される。８０２は、８０１の設定において仕上げ設定を「グループ」に変更したもので、出力される順序を除けば同じ８０１と同じ印刷物となる。８０１，８０２で示す印刷物の場合、本発明の課題でも説明した通り、断裁後の最終成果物で、一つの原稿画像に対して同じ部番が印刷された用紙が複数生成される。
【００５２】
次に、「ダブルコピー時異なる部番を印刷」チェックボックス３１４をオンにした場合のソートとグループの場合の出力例を８０３，８０４に示す。８０１，８０２と異なる点は、各印刷物の部番の付け方である。８０１と８０２では、各レイアウト領域に同じ部番が付与されていたが、８０３，８０４では、１枚の出力用紙の各レイアウト領域に異なる部番が付与されている。具体的には、実施形態１では、ダブルコピーされた１枚の出力用紙の各レイアウト領域に、各レイアウト領域の画像の部数（図３（Ａ）の断裁後の部数）に対応する、連続する部番を割り当てる。これにより、断裁後の用紙で、一つの画像に対して同じ部番が付与された用紙が複数生成されるという不具合を防ぐことができる。
【００５３】
次に、印刷画像データの生成処理について説明する。
【００５４】
図９及び図１０は、図７のフローチャートのＳ７０７の印刷画像データの生成処理を説明するフローチャートである。
【００５５】
まず具体的な処理の説明の前に、このフローチャートで使用している変数Ｎとｎについて説明する。変数Ｎとｎはどちらも部数を示し、これら変数はＲＡＭ１０９に記憶されている。変数Ｎは、ユーザが入力した部数であり、具体的には、図２（Ａ）のコピー設定画面２０１の基本設定２０２で入力された部数である。変数ｎは、印刷処理を行っている時点での部数である。また、どちらの部数も印刷物の視点で見たときの部数であり、必ずしも部数印刷での部番（断裁後の部番）と合致しない。以下、具体的な処理について説明する。
【００５６】
まずＳ９０１でＣＰＵ１０７は、図２（Ｂ）の仕上げ設定画面２１１で「ソート」か「グループ」のいずれが選択されたか判定する。ここで「ソート」が選択されているときはＳ９０２へ進み、「グループ」が選択されているときはＳ１００１（図１０）へ進む。まず最初に、図９のフローチャートを参照してソート出力の場合を説明した後、図１０のフローチャートを参照してグループ出力の場合を説明する。
【００５７】
ソート出力の場合、Ｓ９０２でＣＰＵ１０７は、現在印刷処理中の部数を示す変数ｎを「０」で初期化する。次にＳ９０３に進みＣＰＵ１０７は、ＨＤＤ１１０に保存された原稿の画像データの読取位置を最初に戻す。これにより原稿の画像データの１枚目から画像データを取得できる状態になる。次にＳ９０４に進みＣＰＵ１０７は、変数ｎに１を加算してＳ９０５に進み、ＨＤＤ１１０に記憶されている原稿の画像データを、読取位置から１枚分読み込む。
【００５８】
次にＳ９０６に進みＣＰＵ１０７は、図３（Ａ）のダブルコピー設定画面３０１でダブルコピーがオンに設定されてダブルコピーが設定されているかどうか判定する。ここでダブルコピーが設定されていない場合はＳ９０７に進みＣＰＵ１０７は、原稿画像データをそのまま出力画像データとして面付けを行ってＳ９０８に進む。Ｓ９０８でＣＰＵ１０７は、図３（Ｂ）の部番印刷設定画面３１１で、部番印刷が設定されているか判定する。ここで部番印刷が設定されていないと判定するとＳ９１６へ進む。一方、部番印刷が設定されていると判定したときはＳ９０９へ進み、変数ｎの値に基づいて部番を印刷する部番データを作成してＳ９１６に進む。尚、Ｓ９０９でダブルコピーでない場合、１枚の用紙の中のレイアウト領域は１つであるため、その１つのレイアウト領域に、一つの部番データが印刷される。その際の部番データの位置や向き（文字の配列方向）は、部番印刷設定画面３１１の印刷位置設定３１２、印刷向き設定３１３による設定を基に決定する。
【００５９】
一方、Ｓ９０６でＣＰＵ１０７が、ダブルコピーが設定されていると判定した場合はＳ９１０に進みＣＰＵ１０７はダブルコピーの面付けを行う。このダブルコピーの面付けは、例えば図５を参照して説明したように、ダブルコピー設定画面３０１の原稿サイズ３０３、「断裁口を揃える」チェックボックス３０５の設定を基に、各画像のレイアウト位置と向きを決定する。次にＳ９１１に進みＣＰＵ１０７は、部番印刷設定画面３１１で部番印刷が設定されているか判定する。ここで部番印刷が設定されていないと判定すると、部番データの作成処理を行わずにＳ９１６へ進む。
【００６０】
一方、Ｓ９１１でＣＰＵ１０７は、部番印刷が設定されていると判定するとＳ９１２に進み、部番印刷設定画面３１１で「ダブルコピー時異なる部番を印刷」チェックボックス３１４がオンに設定されていたかどうかか判定する。このチェックボックス３１４がチェックされていない場合は、１枚の用紙の中の各レイアウト領域で同じ部番を設定するためＳ９０９へ進む。この場合は、用紙の各レイアウト領域で同じ部番を設定するため、両面設定時に表面と裏面を意識する必要がない。従って、Ｓ９０９では各レイアウト領域に全て部番ｎで部番データが作成される（図８の８０１参照）。
【００６１】
一方、Ｓ９１２でＣＰＵ１０７は、チェックボックス３１４がチェックされていたと判定するとＳ９１３に進む。ここでは、両面の表面と裏面で部番印刷する順序を意識する必要があるため、表面と裏面を意識する必要がある。Ｓ９１３でＣＰＵ１０７は、両面の裏面目の出力画像データの生成かどうか判定する。片面のみ、或いは両面の表面の画像データの場合はＳ９１４へ進み、両面の裏面の画像データの場合はＳ９１５へ進む。Ｓ９１４でＣＰＵ１０７は、１枚の出力用紙の１つの最初のレイアウト領域に（２ｎ−１）の部番を印刷する部番データを作成し、もう一方のレイアウト領域に２ｎの部番を印刷する部番データを作成してＳ９１６に進む。例えば、ｎ＝１の場合、各レイアウト領域にそれぞれ「１」と「２」の部番データが作成され、ｎ＝２の場合、各レイアウト領域にそれぞれ「３」と「４」の部番データが作成される（図８の８０３の表面参照）。このとき部番データの印刷の位置や向きは、各レイアウトの向きと部番印刷設定画面３１１の印刷位置設定３１２、印刷向き設定３１３を基に決定する。
【００６２】
一方、両面の裏面の画像データの場合はＳ９１５で、Ｓ９１４の部番順序とは逆になるように部番を印刷する部番データを作成してＳ９１６に進む。具体的には、ｎ＝１で表面の部番の順序が「１」と「２」の場合、その裏面の部番データの順序は、「２」と「１」になるようにしてＳ９１６に進む（図８の８０３の裏面参照）。これは例えば図８の８０３で、最初の出力用紙の裏面の印刷時、部番「００２」が付与された画像「Ａ」の裏面の画像「Ｂ」（部番「００２」）が最初に印刷されるためである。
【００６３】
このように処理することで、断裁後の最終成果物を見た場合に、それぞれの最終成果物で部番の整合が取れる。
【００６４】
Ｓ９１６でＣＰＵ１０７は、出力用紙に合わせて出力画像データの回転を行い、出力画像データが出力用紙に収まるようにする。尚、そのままの出力画像データで出力用紙に収まる場合はＳ９１６をスキップして画像データを回転しない。次にＳ９１７に進みＣＰＵ１０７は、Ｓ９１６までの処理で生成された出力画像データ（部番印刷が指定されているときはその部番データを含む）をプリンタユニット１０５へ送信する。これにより、プリンタユニット１０５で、これら画像が印刷される。そしてＳ９１８に進みＣＰＵ１０７は、ＨＤＤ１１０に保存された原稿画像データの最終までの印刷が完了したかどうか判定する。ここで最終までの印刷が完了したと判定すると、最初の１部の原稿の印刷が完了したことになるためＳ９１９へ進む。一方、そうでないときは原稿画像の読み取り位置を次の画像データの読み取り位置に更新してＳ９０５へ戻り、次の原稿の画像データを読み取り、前述の処理と同様にしてその出力画像データを生成する。Ｓ９１９でＣＰＵ１０７は、処理した部数ｎが、ユーザが指定した部数Ｎよりも小さいか判定する。小さい場合は、次の部の原稿のコピー処理を行う必要があるためＳ９０３へ戻り、ＨＤＤ１１０に保存された原稿画像データの読取位置を最初に戻し、処理を継続する。一方、処理した部数ｎがユーザが指定した部数Ｎに達した場合は、ユーザが指定した全ての原稿のコピーが完了しているため、この処理を終了する。
【００６５】
これにより、例えば図８の８０１、或いは８０３で示すように、２枚の両面原稿をダブルコピーでソート出力する場合、チェックボックス３１４の設定に従って部番を印刷することができる。
【００６６】
次に、グループ出力の場合の処理を図１０のフローチャートを参照して説明する。
【００６７】
グループ出力では、先ずＳ１００１でＣＰＵ１０７は、ＨＤＤ１１０に保存された原稿の画像データの読取位置を最初に戻し、Ｓ１００２で変数ｎを「０」で初期化する。次にＳ１００３に進みＣＰＵ１０７は、その読取位置に従ってＨＤＤ１１０から原稿画像データの１枚分の読み込みを行う。次にＳ１００４に進みＣＰＵ１０７は、変数ｎに１を加算し、次にＳ１００５に進んで、読み込んだ原稿画像データの部数Ｎ分のコピー処理を開始する。
【００６８】
Ｓ１００５でＣＰＵ１０７は、図３（Ａ）のダブルコピー設定画面３０１でダブルコピーがオンに設定されていたかどうか判定する。そしてダブルコピーがオンに設定されていたときはＳ１００９に進む、そうでないときはＳ１００６に進む。以下、Ｓ１００５〜Ｓ１０１６の処理は、前述の図９のＳ９０６〜Ｓ９１７と同じであるため、その説明を省略する。
【００６９】
Ｓ１０１７でＣＰＵ１０７は、両面指定で両面の表面の画像データの処理中か否か判定する。片面のみ、或いは両面の表面の画像データでない場合は、次の部の処理を行う必要があるためＳ１０１９へ進む。一方、両面の表面の画像データの処理中の場合は、次に裏面の画像データを処理するためにＳ１０１８に進みＣＰＵ１０７は、ＨＤＤ１１０から、その原稿の裏面の画像データを読み込んでＳ１００５に進む。そして、部数ｎは同じままで、裏面分の出力画像データの生成を行う。
【００７０】
Ｓ１０１９でＣＰＵ１０７は、処理した部数ｎが、ユーザが指定した部数Ｎよりも小さいかどうか判定し、小さい場合は、次の部の処理を行う必要があるためＳ１００３に戻る。このとき、両面原稿の両面印刷の場合は、Ｓ１００３で表面の画像データ（例えば図８の８０４の画像「Ａ」）を再度読み込む必要があるため、その読取位置を一つ前の画像データの読み取り位置に戻す。また或いは片面のみの印刷の場合は、再度、同じ画像データを読み込むために、その読取位置を基の読み取り開始位置に戻す。そしてＳ１００３でＣＰＵ１０７は、その更新された読み取り位置から画像データを読み込んでＳ１００４に進み、変数ｎに１を加算して処理を継続する。
【００７１】
こうしてＳ１０１９で、処理した部数ｎが、ユーザが指定した部数Ｎに達したと判定するとＳ１０２０へ進む。Ｓ１０２０でＣＰＵ１０７は、ＨＤＤ１１０に保存された原稿画像データの最終までの処理が完了したかどうか判定する。ここで最終までの処理が完了していないと判定すると、次の原稿画像データを部数Ｎ分印刷する必要があるためＳ１０２１に進み、画像データの読み取り位置を次に原稿の画像データの先頭に更新してＳ１００２に戻る。一方、保存された原稿画像データの最終までの処理が完了したときは、全ての出力画像データの生成が完了しているため、この処理を終了する。
【００７２】
これにより、例えば図８の８０２、或いは８０４で示すように、２枚の両面原稿をダブルコピーでグレープ出力する場合、チェックボックス３１４の設定に従って部番を印刷することができる。
【００７３】
以上説明したように実施形態１によれば、ダブルコピーと部番印刷が設定されている場合でも、１枚の出力用紙の中の各レイアウト領域に、それぞれ異なる部番を付与して印刷することができる。これにより、ダブルコピーにより得られた印刷物を断裁した後の最終成果物の部番を一意にすることができる。
【００７４】
［実施形態２］
上述の実施形態では、１枚の出力用紙のレイアウト領域に、連続する部番を割り当てる例で説明した。これに対して実施形態２では、断裁した後に、その断裁した束を重ねたときに部番が連続するように部番を割り当てる。これにより、印刷物の断裁後、部番順に最終成果物を揃えることが容易になる。尚、実施形態２に係る画像形成装置１０１のハードウェア構成、及び画像形成装置１０１を含む印刷システムの構成は、前述の実施形態１の場合と同様であるため、その説明を省略する。
【００７５】
図１１は、実施形態２において、２枚の両面原稿をダブルコピーし、部番印刷の位置を左上に設定した場合の出力例を示す図である。
【００７６】
１１０１，１１０２は、「ダブルコピー時異なる部番を印刷」チェックボタン３１４をオフにした場合の出力例を示し、これらは図８の８０１，８０２と同じで、本願の課題を解決していないため、その説明は省略する。
【００７７】
１１０３は、ソート出力で「ダブルコピー時異なる部番を印刷」チェックボタン３１４をオンにした場合の出力例である。この場合は、６枚の全ての印刷物を、部番「００１」の原稿「Ａ」を印刷した用紙が最上位に来るように順番に束ねた状態で、それら用紙を中央で断裁し、断裁された左の束を右の束の上に重ねることで部番が連続した印刷物が得られる。
【００７８】
また１１０４は、１１０３の設定の中で、仕上げ設定をグループ出力に変更したものである。グループ出力の場合、全ての印刷物を束ねた状態で断裁し、二つの束を重ねても期待する結果とはならない。しかし、各グループ単位（同じ原稿のコピーの束）で束ねて断裁し、左の束を右の束の上に重ねることで、その束の上側の用紙から部番が昇順となるため、部番順に成果物を揃えることが容易になる。
【００７９】
次に、印刷画像データ生成の処理について説明する。尚、実施形態２に係る画像形成装置１０１によるコピー処理を説明するフローチャートは、前述の実施形態１の図７の場合と同様であるため、その説明を省略する。
【００８０】
図１２及び図１３は、実施形態２に係る、図７のフローチャートのＳ７０７の印刷画像データの生成処理を説明するフローチャートである。
【００８１】
尚、これらのフローチャートにおける基本的な処理は、上述の実施形態１の図９及び図１０と同じであるため、重複する点の説明を省略する。
【００８２】
実施形態１と実施形態２で処理上異なるのは、Ｓ１２１４，Ｓ１２１５（図１２），Ｓ１３１３，Ｓ１３１４（図１３）の部番の割り振り方である。ソート出力とグループ出力ともに、Ｓ１２１３，Ｓ１３１２で両面の裏面目でない場合はＳ１２１４，Ｓ１３１３のように、１枚の出力用紙の１つのレイアウト領域にｎの部番データを作成し、もう一方のレイアウト領域に（Ｎ＋ｎ）の部番データを作成する。ここでも実施形態１と同様に、変数Ｎはユーザが入力した部数であり、変数ｎは、印刷処理を行っている時点での部数である。例えば、ユーザが指定した部数Ｎ＝３で、印刷処理を行っている時点での部数ｎ＝１の場合、部番として「１」と「４」が印刷され、ｎ＝２の場合、部番として「２」と「５」が印刷される（図１１の１１０３，１１０４参照）。
【００８３】
また、ソート出力とグループ出力ともに両面の裏面目の場合（Ｓ１２１３，Ｓ１３１２でＹｅｓ）は、Ｓ１２１５，Ｓ１３１４のように、表面の部番順序とは逆になるように部番データが作成される。上記の例では、ｎ＝１の場合は部番として「４」と「１」が印刷され、ｎ＝２の場合は部番として「５」と「２」が印刷される（図１１の１１０３，１１０４参照）。
【００８４】
以上説明したように実施形態２によれば、ダブルコピーと部番印刷が設定されている場合でも、１枚の出力用紙の中の各レイアウト領域に、それぞれ異なる部番を印刷することができる。これにより、ダブルコピーにより得られた印刷物を断裁した後、最終成果物の部番を一意にすることができるとともに、断裁後に、各用紙を部番順に並べることが容易になる。
【００８５】
即ち、ソート出力の場合は、コピー部数に相当する出力用紙の束をレイアウトに応じて断裁したとき、その断裁された出力用紙の一方の束を他方の束に重ねたとき、束の上側の用紙から部番が昇順となるように、出力用紙にレイアウトされた各画像に部番を付与できる。またグループ出力の場合は、同一の原稿の画像データにより形成されたコピーの部数の分の出力用紙の第１の束がレイアウトに応じて断裁された後、その断裁された第１の束の一方の束を他方の束の上に重ねたとき、その束で、断裁された出力用紙上の部番が上から昇順になるように各画像に部番を付与できる。
【００８６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８７】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００８８】
１０１…画像形成装置、１０２…制御部、１０３…表示部、１０４…操作部、１０７…ＣＰＵ、１０８…ＲＯＭ、１０９…ＲＡＭ、１１０…ＨＤＤ、２０５…ダブルコピーボタン、２０６…部番印刷ボタン、３１４…「ダブルコピー時異なる部番を印刷」チェックボタン
【図１】
2019098561.tif 000003
【図２】
2019098561.tif 000004
【図３】
2019098561.tif 000005
【図４】
2019098561.tif 000006
【図５】
2019098561.tif 000007
【図６】
2019098561.tif 000008
【図７】
2019098561.tif 000009
【図８】
2019098561.tif 000010
【図９】
2019098561.tif 000011
【図１０】
2019098561.tif 000012
【図１１】
2019098561.tif 000013
【図１２】
2019098561.tif 000014
【図１３】
2019098561.tif 000015